(57)【特許請求の範囲】
【請求項１】
胸部や陰部を隠すための覆着を兼ねることができるフェイスタオル（１）は、濡れた時に体に張り付いて透けないようにタオル半分を厚地（Ａ）にし、両長辺の縁にボタンホール（２）を数ヶ所設け、ボタン又は留め具（３）が付いた２本の紐（４）を、対向するボタンホール（２）の何れかの位置にとめ合わせることで、複数の使用形態が可能になり、乳癌などの身体の事情を特別視されることがないように、プライバシーが保護される事を特徴とする紐付きフェイスタオル。
【発明の詳細な説明】
【技術分野】
【０００１】
本発明は、浴場などで身体にコンプレックスや見られたくない事情がある場合や他人の視線を遮る目隠しになり、皆が同じ条件で身体のコンプレックスを隠せ、他人に特別視されないで浴場内を移動できる紐付きフェイスタオルに関するものである。
【背景技術】
【０００２】
従来、浴場等で他人の視線を遮るためには女性はバスタオルを体に巻いたり、水着を着用したり、最近では乳癌の方に特化した入浴用の着衣があった（特許文献１参照）また、タオルを下着の形状にて体を覆い隠せる（特許文献２参照）があるが、それを付けての入浴を許可している浴場は少なく、しかしながら、水着や下着を着用しての入浴は禁止されているところが多い。体を洗う時に着衣を取らなくては体が洗いにくいという欠点もあった。また、タオルの一辺端を折り返して紐や伸縮部材を通し首にかけるエプロン型のタオルがあった（特許文献３参照）。
【先行技術文献】
【特許文献】
【０００３】
【特許文献１】特開２００１−１８１９０４
【特許文献２】特開平９―６７７０６
【特許文献３】登録実用新案第３１７８１３６号
【発明の概要】
【発明が解決しようとする課題】
【０００４】
そのため、次のような問題点があった。
（イ）乳癌専用のタオルや着衣は浴場内にいる人に「私は乳癌で傷があり、胸が無い」と他人に知らせているように感じるために好ましくなかった。（特許文献１参照）
（ロ）濡れると胸部部分の乳頭は透けてしまう。片側の乳房がない場合は左右の膨らみに明らかな差が出てしまう（特許文献２参照）
（ハ）タオル地の一片端を折り返して空間部を設け紐や伸縮部材を通し円輪状に形成したものであるが、空間部を設けることにより、使っているうちに紐を通した部分のタオル一片端はギャザーが寄り首から下げる部分は表面積が狭まってしまい胸部を隠すことはできなくなることも有る。また、水に濡れた時は水分を含んだタオルは重く伸縮部材は伸びてしまい結果、胸部を隠すことはできなくなる（特許文献３参照）
また、浴場内で体に巻くためのバスタオルや水着を着用する場合は、予め用意する必要があり、特にバスタオルはかさばるので荷物が増え、浴場から出た後の濡れたバスタオルや水着の始末にも困るものであった。
衛生面から湯船にバスタオルやフェイスタオルや水着を着用しての入浴を禁じている浴場のほうが多いのが現状である。また、体を洗う時に着衣を取らなくては体が洗いにくいという欠点もあった。
着替える時や体を洗う時にも自然に隠せる物が望まれていた。本発明は、これらの問題点を解決するためになされたものである。
【課題を解決するための手段】
【０００５】
胸部、及び腹部、及び陰部を覆い隠す為のフェイスタオル（１）は濡れた時に体に張り付いて透けないようにタオル半分を厚地（Ａ）にし両長辺の縁にボタンホール（２）を数ヶ所設け、ボタン又は留め具（３）が付いた２本の紐（４）を、対向するボタンホール（２）の何れかの位置にとめ合わせることで、複数の使用形態が可能になり、紐（４）を取り付けない場合は普通のフェイスタオル（１）として、または、両長辺の端にあるボタンホール（２ａ）にボタン又は留め具（３）の付いた紐（４）をとめ合わせ、紐（４）を首の後ろで結ぶかとめ合わせる事により胸部、及び腹部、及び陰部を覆い隠せる透けにくいフェイスタオル（１）として、または、両長辺の端から少し離れたボタンホール（２ｂ）にボタン又は留め具（３）の付いた紐（４）をとめ合わせ、腰の後ろで結ぶかとめ合わせる事により、陰部にかかる部分（１ａ）が二重になり、垂れ下がっている長い方（１ｂ）を両足の間に挟みタオルの両端を腰紐の位置まで引き上げると、ふんどしの形状にもなる。また、首の後ろで結ぶかとめ合わせる事により胸部にかかる部分（１ａ）が二重になり、フェイスタオル（１）が濡れた場合、体に張り付いてしまうので、乳癌などで片側の胸が無い場合など乳頭の有無が透けにくいようにし、左右の胸の膨らみの違いが他人には気付かれにくい事を特徴とし身体の事情により特別視されることがないように平等な条件でプライバシーが保護され、温泉や銭湯などの浴場内を移動でき、体を隠す事ができる紐付きフェイスタオル。
本発明は、以上を特徴とする紐付きフェイスタオルである。
【発明の効果】
【０００６】
本発明は温泉や銭湯等で浴場内を歩き移動する時やサウナに入る時に他人の視線が気になる時などに首又は、腰から下げて使用するフェイスタオルなので、他人からの視線が気にならない人は、そのまま普通のフェイスタオルと同じように使用することができ、皆が同じ形状であれば特別視されること無くさりげなく身体のコンプレックスを隠すことが出来る。
フェイスタオルの半分は濡れても透けない様に厚地にし、濡れたフェイスタオルは体に張り付いてしまうので特に胸部は乳頭の有無が透けないようにするために、更に２重にすることにより乳癌で片方の胸を切除し乳頭の有無や左右の違いが他人には気付かれにくい事を特徴にしたフェイスタオルである。また、男性が腰に巻き、紐を後ろで結ぶか留め具により留めあわせることにより陰部の部分が２重になる、垂れ下がっている長い方を両足の間に挟み、タオルの両端を腰紐の位置まで引き上げて、タオルの両端を腰紐の内側或いは外側に折り曲げて引っ張ることによりふんどしの様な形状になり陰部と臀部が隠せるようになる。
また、両短辺の端にあるボタンホールにボタンの付いた紐を留め合わせ、厚地になっているタオル地が陰部側なるようにフェイスタオルを横にし、腰に巻き付け、紐を結ぶことにより陰部と臀部を隠すことができ、紐を結ぶことで簡単に外れにくく隠すことが出来るフェイスタオルである。
【０００７】
温泉や銭湯等の浴場で、他人に裸を見られることは恥ずかしく、身体には人それぞれコンプレックスや見られたくない事情がある。例えば胸の大きさ、乳頭の色素、病気による胸の有無、様々な手術痕、出臍、赤・黒あざ、火傷の痕、お産の後の皮膚のたるみや歪み他にも様々有るが、このような身体の事情で温泉や銭湯等の浴場に行くことをためらうことがないような、身体を隠すことが出来るフェイスタオルを提供することに有る。
【０００８】
本発明は、取り付ける紐の位置により何通りにも使える長方形のフェイスタオルからなる。簡単な取り付け方で体を覆い隠せ、突然立ち寄り湯に行くことになっても、予め専用着や水着、隠すためのバスタオルを持っていなくても慌てること無く、皆が同じ形状で隠せて使える物が有るという安心感から浴場に行くことをためらわなくても良くなる。
【０００９】
本発明は男女とも取り付ける紐の位置により一枚のフェイスタオルが透けること無く、特別視されること無く、フェイスタオルを押さえていなくても両手が自由に使えるようになり、皆が同じ形状で体を隠せるようになり、ふんどしの様なものにもなる便利なものである。
【００１０】
本発明は紐を結んで、又は留め具により留め合わせる事で首や腰に固定するので、紐の結び方の調整であらゆる人の体型に合わせることが出来るものである。
【００１１】
本発明は、入浴用のフェイスタオルと隠す為の覆着とを兼ねることができ、旅行時の荷物を減らすことができる。
【００１２】
本発明は介護される方や介護施設で体の不自由な人を入浴させる時にも胸部や陰部を隠す為に使うことができ、特別に専用着等を用意すること無く入浴のサービスを受けられる入浴カバーにもなる。
【００１３】
本発明は老若男女が使うためにタオル全体を厚地にするのでなく、濡れても透けない程度に厚くし、絞ぼりにくくしないために半分側だけ厚地にした。
【図面の簡単な説明】
【００１４】
【図１】本発明の正面図である。
【図２】本発明の紐の取り付け位置を示した説明図である。
【図３】本発明の紐の取り付け位置を示し紐を結んだ説明図である。
【図４】本発明の首から下げて胸部の隠し方を示した説明図である。
【図５】本発明の紐を腰に巻いてふんどしの様に装着を示した説明図である。
【図６】本発明の紐の取り付け位置を変え腰に巻いて装着を示した説明図である。
【符号の説明】
【００１５】
１    フェイスタオル全体
１a   折り曲げる短い面
１b   折り曲げる長い面
２    ボタンホール全体
２a   ボタンホール
２b   ボタンホール
２c   ボタンホール
２d   ボタンホール
２e   ボタンホール
３    ボタン又は留め具
４    紐
Ａ    厚地部分のタオル
Ｂ    裸の女性
Ｃ    裸の下半身
【発明を実施するための形態】
【００１６】
以下、本発明を実施するための形態について説明する。
従来浴場内で胸部等を隠す場合は手を使ったり、タオルで押さえたりしていたため、両手が自由に使えなかった。
本発明に係るフェイスタオルは、図１に示すように、普通にも使えるフェイスタオル（１）、紐部（４）からなる。
フェイスタオル（１）は濡れた時に体に張り付いて透けないようにタオル半分を厚地（Ａ）にし、フェイスタオル（１）は主に胸部、及び腹部、及び陰部を隠すために設けられており、その形態は特に限定されないが、フェイスタオル（１）は両長辺の縁にボタンホール（２）を数ヶ所設け、ボタン又は留め具（３）が付いた２本の紐（４）を、対向するボタンホール（２）の何れかの位置にとめ合わせることで、複数の使用形態が可能になり、紐部（４）を首、または腰の後ろで結ぶことにより折り曲げる短い面（１a）と折り曲げる長い面（１b）が自然に重なり、濡れた時に透けにくくなり、乳頭の有無、色素がわかりにくくなるように形成されている。
また、紐（４）を腰に巻き図５に示すようなふんどし型にした場合でも陰部が透けにくくしたものである。
本発明は以上のような構成である。
本発明の使い方を説明する。
フェイスタオルに紐を付けるので浴場内で他人の視線が気になる時、首から下げて使用できるフェイスタオルなので、他人の視線が気にならない人はそのまま普通のフェイスタオルと同じように使用することができ、皆が同じ形状の物を使うことで特別視されることが無くなり、さりげなく身体のコンプレックスを隠すことができる。
他の実施例を説明する。
フェイスタオルにも巾や丈が様々あり、短い場合は２重にして使うと短くなりすぎるため陰部が隠れないということにもなる為、短いタオルの場合は胸に係る部分が２重になるように別の短いタオルが装着できるようにしてもいい。
【要約】      （修正有）【課題】浴場などで身体のコンプレックスを見られたくない事情がある場合や他人の視線を遮る目隠しになり、皆が同じ条件で身体のコンプレックスを隠せ、他人に特別視されないで浴場内を移動できる紐付きフェイスタオルを提供する。【解決手段】長方形のフェイスタオル１の半分を厚地にし、両長辺の淵にボタンホール２を設け、ボタン又は留め具が付いた２本の紐を留め合わせる位置により何通りにも使えるフェイスタオルになり、紐を取り付けない場合は普通のフェイスタオル１として、胸部や陰部を隠す時はそのまま使用しても透けないが、胸部や陰部を覆い隠す１ａ部分を１ｂに重ねることにより、２重になり、より透けにくく、身体の事情を他人には気付かれにくくし、特別視されることがないように平等な条件でプイバシーが保護されることを特徴とする紐付きフェイスタオル。【選択図】図１【図１】
0005835829.tif 000002
【図２】
0005835829.tif 000003
【図３】
0005835829.tif 000004
【図４】
0005835829.tif 000005
【図５】
0005835829.tif 000006
【図６】
0005835829.tif 000007